【事件の表示】
　特願２００６−１１６０４５「画像形成装置、ジョブ設定支援方法、ジョブ設定支援プログラム」拒絶査定不服審判事件〔平成１９年１１月　１日出願公開、特開２００７−２８３７１７〕について、次のとおり審決する。
【結　論】
　本件審判の請求は、成り立たない。
【理　由】
 　
第１．手続の経緯
　本願は、平成１８年４月１９日の出願であって、平成２０年４月２１日付けの拒絶理由通知に対して、同年６月２７日付けで手続補正がなされたが、同年１１月２１日付けで拒絶査定がなされ、これに対し、平成２１年１月５日付けで拒絶査定不服の審判請求がなされるとともに、同年２月４日付けで特許請求の範囲及び明細書に係る手続補正がなされたものである。
　さらに、審査官により作成された前置報告書について審尋がなされたところ、審判請求人から平成２２年５月３１日付けで回答書が提出されたものである。
　
　
第２．平成２１年２月４日付けの手続補正についての補正却下の決定
［補正却下の決定の結論］
　平成２１年２月４日付けの手続補正（以下「本件補正」という。）を却下する。
［理由］
１．補正の内容
　本件補正は、特許請求の範囲を補正する内容を含んでおり、本件補正により、特許請求の範囲の請求項１は、
「　実行済ジョブにおいて実行された複数の設定項目それぞれの設定値をまとめたデータベースを記憶する記憶手段と、
　ユーザから新規ジョブに関する設定項目の設定値を受け付ける受付手段と、
　前記受付手段により受け付けた設定項目の設定値に基づいて、前記データベースを用いて関連する他の設定項目の設定値を検索する検索手段と、
　前記検索手段により検索された関連する他の設定項目の設定値を、前記新規ジョブに関する設定項目の設定値の候補として、画面に表示させるものであって、前記検索の結果で検索された関連する他の設定項目の設定値が複数種類存在する場合には、ユーザ指示に基づいて、未表示の他の設定項目の設定値の種類を候補として画面に表示させる表示制御手段と、
を備えることを特徴とする画像形成装置。」
から
「　実行済ジョブにおいて実行された複数の設定項目それぞれの設定値をまとめたデータベースを記憶する記憶手段と、
　ユーザから新規ジョブに関する設定項目の設定値を受け付ける受付手段と、
　前記受付手段により受け付けた設定項目の設定値に基づいて、前記データベースを用いて関連する他の設定項目の設定値を検索する検索手段と、
　前記検索手段により検索された関連する他の設定項目の設定値を、前記新規ジョブに関する設定項目の設定値の候補として、画面に表示させるものであって、前記検索の結果で検索された関連する他の設定項目の設定値が複数種類存在する場合には、前記複数種類存在する他の設定項目の設定値の候補を、ユーザ指示に基づいて画面に表示させる表示制御手段と、
　前記表示制御手段によって画面上に表示される複数の候補の内から一つを選択し、選択された候補の各設定項目に対する設定値を、前記新規ジョブの各設定項目に対する設定値として確定する確定手段と
を備えることを特徴とする画像形成装置。」
に補正された。
　上記補正は、補正前の請求項１に記載した発明を特定するために必要な事項である「表示制御手段」に関して、「ユーザ指示に基づいて、未表示の他の設定項目の設定値の種類を候補として画面に表示させる」を「前記複数種類存在する他の設定項目の設定値の候補を、ユーザ指示に基づいて画面に表示させる」と補正するとともに、「『表示制御手段』によって『表示させる』『設定値の候補』」に関して、「前記表示制御手段によって画面上に表示される複数の候補の内から一つを選択し、選択された候補の各設定項目に対する設定値を、前記新規ジョブの各設定項目に対する設定値として確定する確定手段」を備える点を限定したものであるから、全体として、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　なお、本願補正発明の「前記表示制御手段によって画面上に表示される複数の候補の内から一つを選択し、選択された候補の各設定項目に対する設定値を、前記新規ジョブの各設定項目に対する設定値として確定する確定手段」については、「選択」するのは、「ユーザ」とも解釈することもできるが、「前記表示制御手段によって画面上に表示される複数の候補」は、「ユーザ指示に基づ」くものであるから、「ユーザ指示に基づいて」との記載はなくとも、「（ユーザ指示に基づいて）複数の候補の内から一つを選択し、選択された候補の各設定項目に対する設定値を、前記新規ジョブの各設定項目に対する設定値として確定する確定手段」を意味するものとして、請求項１の記載どおり認定した。
　　
２．独立特許要件について
（１）刊行物に記載された発明
（刊行物１について）
　原査定の拒絶の理由に引用された特開２００５−１９６７３４号公報（以下「刊行物１」という。）には、次の記載がある。（下線は当審にて付した。以下同じ。）
　
（１−ａ）「【請求項１】
  印刷時の画像形成条件を設定するプリンタドライバの設定方法において、
  ユーザから入力されるキー項目のキー設定値及び２次項目の２次設定値をセットにしてなる設定値グループを作成する工程と、
  前記ユーザによる前記キー設定値の選択により、選択された前記キー設定値が属する前記設定値グループを初期値とする初期値設定工程と、
  前記初期値を基に実行画像形成条件を設定する実行画像形成条件設定工程と、
  前記設定値グループを、前記実行画像形成条件により更新する更新工程とを具備することを特徴とするプリンタドライバの設定方法。
【請求項２】
  印刷時の画像形成条件を設定するプリンタドライバの設定方法において、
  
ユーザから入力されるキー項目のキー設定値及び２次項目の２次設定値をセットにしてなる設定値グループを順次蓄積して履歴情報を作成する履歴作成工程
  
前記履歴情報から、前記キー設定値と共に使用される頻度が最多である前記２次設定値の最多設定値を認識する最多設定値認識工程
  
前記ユーザによる前記キー設定値の選択により、前記キー設定値及び前記最多設定値を初期値とする初期値設定工程
  
前記初期値を基に実行画像形成条件を設定する実行画像形成条件設定工程
  
前記実行画像形成条件を前記履歴情報に蓄積して前記履歴情報を更新する更新工程
【請求項３】
  印刷時の画像形成条件を設定するプリンタドライバの設定方法において、
  ユーザから入力されるキー項目のキー設定値及び２次項目の２次設定値をセットにしてなる設定値グループを順次蓄積して履歴情報を作成する履歴作成工程と、
  前記履歴情報から、前記キー設定値と共に使用される頻度が最多であり且つ所定割合以上である前記２次設定値の高設定値を認識する高設定値認識工程と、
  前記ユーザによる前記キー設定値の選択により、前記キー設定値及び前記高設定値を初期値とする初期値設定工程と、
  前記初期値を基に実行画像形成条件を設定する実行画像形成条件設定工程と、
  前記実行画像形成条件を前記履歴情報に蓄積して前記履歴情報を更新する更新工程とを具備することを特徴とするプリンタドライバの設定方法。」　
　
（１−ｂ）「【技術分野】
【０００１】
  本発明はプリンタドライバに係り、特に
ユーザにより選択された項目に基づき自動的にプリント機能を設定する自動設定機能を有するプリンタドライバ
【背景技術】
【０００２】
  プリンタによる印刷時、印刷目的に応じて所望の印刷物を得るために画像条件あるいは動作モード等の画像形成条件をプリンタドライバを用いて設定するが、その時のプリンタドライバの設定項目は多岐にわたっている。コピー設定画面またはプリンタドライバ（以降プリンタドライバと総称する。）は、コピーあるいはプリント操作のためにユーザに多くの画像形成条件を認めている。これら多くの画像形成条件の中で、にコピー操作がカラーであるかあるいはモノクロであるかというような
ユーザの要求に基づき変更される設定項目は、印刷目的に応じてユーザが選択する
【０００３】
  例えば下書き段階のような書類を作成する場合には、コスト削減のためにユーザはカラーモードにおいては（カラープリントに代えて）モノクロプリントを利用すると思われる。同様に、下書き段階の書類であれば、コスト削減、ページ数削減等のために（画面数モードにおいて）２ｉｎ１、４ｉｎ１あるいは８ｉｎ１を利用し又、両面モードにおいては両面プリントを利用することも考えられる。一方、顧客に提出するような正式書類を作成する場合には、ユーザは、画面数モードを利用せず、カラープリント且つ片面プリントを選択したりすると思われる。このような選択では、印刷物は製本も可能となる。
【０００４】
  このようにプリンタドライバによる設定項目が多岐であり、ユーザの要望も様々であるにも拘らず、従来のプリンタドライバでは、設定項目を夫々必要とする画像形成条件に応じてユーザが個々に設定しなければならず、その設定に時間を要していた。
【０００５】
  このため
従来、印刷設定を自動選択可能であり且つ選択機能を使いやすくする装置がある
【特許文献１】特開２００２−４１２６１号公報（第７〜９頁、図７、９）
【発明の開示】
【発明が解決しようとする課題】
【０００６】
  しかしながら（特許文献１）は、規定値のもに関しては自動設定可能とするものであるが規定値以外の、自動で印刷特性が決定できない項目は、その都度ユーザが指定するものである。このため
印刷時にユーザが要する労力は低減されるものの
画像形成を実施する度にユーザインタフェースから指定しなければならず、設定に時間を要していた
【０００７】
  このことから、
所望の印刷物を得る際に、ユーザが行う画像形成条件の設定作業を軽減することが望まれている
【０００８】
  そこで本発明は上記課題を解決するものであり、
印刷時の画像形成条件の設定作業を軽減して、効率的且つ操作性に優れた自動設定機能を有するプリンタドライバ
　
（１−ｃ）「【発明を実施するための最良の形態】
【００１１】
  本発明は、
ユーザにより設定されるキー設定値に基づき、それ以外の２次設定値を自動的に設定する
【実施例１】
【００１２】
  以下、本発明の実施例１について図１及び図２を用いて説明する。図１は、プリンタによる印刷時に画像形成条件を設定するプリンタドライバに、各種設定項目を入力するためのユーザインタフェースであるユーザインタフェース画面（以下ＧＵＩと略称する。）１１０の一部を示す。ＧＵＩ１１０は、パソコン（ＰＣ）のモニタ、あるいはコピー機やプリンタ上の表示部等のような表示部に表示される。ＧＵＩ１１０は、ＡＰＩ（Ａｐｐｌｉｃａｔｉｏｎ  Ｐｒｏｇｒａｍｍｉｎｇ  Ｉｎｔｅｒｆａｃｅ）によりプリンタドライバに接続される。ＧＵＩ１１０には、画像形成条件設定画面が表示されている。ＧＵＩ１１０には画像形成条件の設定項目として例えば、カラーモード、両面モード、画面数モード、ステイプルモード、ホールパンチモードに関する設定値を設定表示する設定ボックス１１０ａ〜１１０ｅ及び表示された設定値を決定するＯＫボタン１１２ａ、キャンセルボタン１１２ｂがある。設定ボックス１１０ａ〜１１０ｅは各設定項目について夫々図２の設定値テーブル２１０に示す設定値を設定可能となっている。
【００１３】
  本実施例にあっては、画像形成条件設定時に、ユーザがＧＵＩ１１０上から、複数ある設定項目の中のいずれかをキー項目としてそのキー項目に関する設定値を設定する事により、プリンタドライバは制御装置にて、キー項目以外の設定項目の少なくとも１つ以上の２次項目に関する設定値を初期値として自動的に設定する。
【００１４】
  このため、
プリンタドライバの蓄積手段であるメモリ（図示せず）は、キー項目に関する設定値と２次項目に関する設定値とをセットにしてなる設定値グループを記憶する
ユーザが印刷操作を行うと、メモリ内には例えば画面数モード＝４ｉｎ１、ステイプルモード＝有り、ホールパンチモード＝有りの第１の設定値グループと、画面数モード＝無し、ステイプルモード＝無し、ホールパンチモード＝有りの第２の設定値グループが記憶されている。」
　
（１−ｄ）「【実施例２】
【００１９】
  次に本発明の実施例２について図３〜図８を用いて説明する。この実施例２は、上述した実施例１において、２次項目の初期値の決め方が異なるものであり、その他は前述の実施例１と同様であることから、実施例１で説明した構成と同一構成部分については同一符号を付してその詳細な説明を省略する。本実施例にあってはプリンタドライバは履歴蓄積手段であるメモリを有し、メモリには、既にプリントジョブあるいはコピージョブを終了したものの画像形成条件に関する履歴情報を蓄積している。メモリに蓄積された履歴情報は画像形成条件設定時に、１以上の設定項目の初期値を設定するために用いられる。
【００２０】
  図３は、プリンタドライバに接続されるユーザインタフェースであるＧＵＩのセットアップタブＧＵＩ３１０を示す。セットアップタブＧＵＩ３１０は、実施例1のＧＵＩ１１０と同様ＡＰＩによりプリンタドライバに接続される。セットアップタブＧＵＩ３１０は、カラーモード、両面モード、画面数モード、ステイプルモード、ホールパンチモードを設定する設定ボックス３１０ａ〜３１０ｅを有する。設定ボックス３１０ａ〜３１０ｅによる各設定項目の設定値は図２と同様である。
【００２１】
  セットアップタブＧＵＩ３１０はオプションタブ３６０を有する。オプションタブ３６０を選択すると、ＧＵＩには、図４に示すオプションタブＧＵＩ４１０が現れる。
【００２２】
  ユーザは、セットアップタブＧＵＩ３１０の画像設定条件を選択するのであれば、ＯＫボタン３７０を選択する事により次にプリンタ装置にてプリントあるいはコピージョブを行うための画像形成条件を保存する。他方ユーザは、キャンセルボタン３８０を選択して画像形成条件の保存をキャンセルする。
【００２３】
  オプションタブＧＵＩ４１０の自動設定ボックス４４０をチェックする事により、ユーザは画像形成条件を自動的に設定するための自動設定モードを選択できる。オプションタブＧＵＩ４１０は、自動設定を行う際のキーとなる「キー項目」を設定するためのキー項目ボックス４５０を有する。キー項目は、各種設定項目例えば、図５の設定内容テーブル５１０に示すカラーモード、両面モード、画面数モード、ステイプルモード、ホールパンチモードから選択できる。ユーザは、キー項目ボックス４５０にてキー項目を選択する。例えば図４では選択されるキー項目をカラーモードとする。更にユーザは、オプションタブＧＵＩ４１０上の履歴情報ボックス４６０により、キー項目とセットで自動的に初期値を設定される２次項目の設定値を決める際に参照する「履歴情報の数」を選択できる。「履歴情報の数」は１〜１００とか、１〜１０等全く限定されない。図５は、オプションタブＧＵＩ４１０で選択可能な設定項目を示す。
【００２４】
  ユーザは、図４に示すオプションタブＧＵＩ４１０で設定された条件を了承するのであれば、ＯＫボタン４６５を押して設定された条件を保存する。あるいはキャンセルボタン４７０によりキャンセルする。
【００２５】
  次に
履歴情報
履歴テーブル６００は、プリントあるいはコピージョブの一番新しい物から1０個の設定値グループを蓄積できるようになっている
設定値グループはキー項目に関する設定値とキー項目となる以外の２次項目に関する設定値とをセットにして構成されている
【００２６】
  図７は最も新しく実施したプリントあるいはコピージョブの履歴情報を３個蓄積した状態の履歴テーブル６００を示し、図８は一番新しく実施したプリントあるいはコピージョブの履歴情報を１０個蓄積した状態の履歴テーブル６００を示す。本実施例では、プリンタドライバにて画像形成条件を設定する都度、（ユーザによりＯＫボタン３７０が選択された後）セットアップタブＧＵＩ３１０の設定値が、履歴テーブル６００に順次蓄積される。尚図６〜図８の履歴テーブルのポジションとは、次に設定値グループを蓄積する行の位置を示している。
【００２７】
  例えば、４番目のプリントジョブのための画像形成条件が設定されるとプリンタドライバの制御装置は（図３のセットアップタブＧＵＩ３１０の５項目の画像設定条件を適切に選択しＯＫボタン３７０を選択すると）４番目のプリントジョブのための画像設定条件を、図７に示す履歴テーブル６００の４行目に蓄積する。
【００２８】
  尚プリンタドライバは、履歴テーブル６００の履歴情報を利用するユーザを選考することも可能である。このように利用者を限定することによりコピーあるいはプリントジョブを行おうとするユーザの要求により近い初期値を供給する事が可能となる。
【００２９】
  次に
プリンタドライバの制御装置にて、履歴情報から２次項目に関する初期値をせってするプロセス
個のカラージョブのうち、４個は片面
両面モードにおいては片面が最も使用頻度が多い最多設定値として認識される
【００３０】
  この様な履歴情報から、図４に示すオプションタブＧＵＩ４１０で成されたユーザ選択にて、選択されたキー項目がカラーモードであれば、両面モードにおいては最多設定値である片面が初期値として設定される。（カラー条件設定時に片面モードが６６．７％選択されているので。）
  同様にして、プリンタドライバは履歴テーブル６００に蓄積される履歴情報に基づき他の２次項目に関する設定値を初期値としてせっていする。例えば、図８に示される履歴情報を利用し、キー項目の設定値であるカラーに対して、画面数モードにおいては、無し（６個のカラージョブの全てが画面数モードで無しを選択している。）を最多設定値として認識し、ステイプルモードにおいては無し（６個のカラージョブの５個がステイプル無し、１個がステイプル有りを選択している。）を最多設定値として認識し、ホールパンチモード  Ｐｕｎｃｈモードを無し（６個のカラージョブの４個がパンチ無し、２個がパンチ有りを選択している。）を最多設定値として認識する。更にこれらを初期値として設定する。
【００３１】
  このようにカラーモードをキー項目として選択した場合に、図３でユーザが、セットアップタブＧＵＩ３１０のカラーモードボックス３１０ａに設定値カラーを入力すると、２次項目である他の４項目は、図３に示す様に夫々片面、画面数モード無し、ステイプル無し、パンチ無しが初期値として自動的に設定される。（この例では、本実施例により自動設定された初期値とスタンダードで設定した初期値が同じになっている。）これによりプリンタ装置では自動設定された画像形成条件に従い画像形成を実施する。また画像形成条件が決定されると、プリンタドライバの制御装置はこれを実行画像形成条件としてメモリに順次蓄積して（履歴テーブル６００に順次書き込む）履歴情報を更新する。尚図３のセットアップタブＧＵＩ３１０内の自動設定された初期値は、必要であればユーザにより変更可能である。
【００３２】
  ユーザは、図４に示すオプションタブＧＵＩ４１０のキー項目の設定値として、カラーに変えてモノクロを選択しても良い。この例では、図８の履歴テーブル６００に示される同じ履歴情報を参照すると、１０個の履歴情報の中の４個がモノクロジョブである。更にモノクロジョブのうち３個が両面−ブックであることから、両面モードにおいては両面−ブックが最多設定値として認識され初期値として設定される。又、画面数モードの初期値として、２ｉｎ１が設定される。ステイプルモードの初期値は無し、又ホールパンチモードの初期値も無しと設定される。
【００３３】
  従って、ユーザがキー項目の設定値としてモノクロを選択すると、２次項目である他の４項目は図３のセットアップタブＧＵＩ３１０に示す様に夫々両面−ブック、２ｉｎ１、ステイプル無し、パンチ無しが初期値として設定される。これら図３のセットアップタブＧＵＩ３１０内の自動設定された初期値は、必要であればユーザにより変更可能である。
【００３４】
  他の例として、ユーザは違うキー項目を選択可能である。図４に示すオプションタブＧＵＩ４１０でユーザがキー項目としてステイプルモードを選択すると仮定する。この選択により、ユーザがセットアップタブＧＵＩ３１０のステイプルモードの設定ボックス３１０ｄにステイプル有りを入力すると、図８の履歴テーブル６００を参照すると、１０個の履歴情報の中の２個のステイプル有りでは、パンチは無しなので、ホールパンチモードの初期値は無しに設定される。
【００３５】
  次に、キー項目の選択にかかわらず２次項目を選択できない場合の対応について述べる
。例えばステイプルモードをキー項目として、その設定値をステイプルありとした場合に、両面モードを参照すると、両面−ブックと、両面−タブレットとが１づつ設定される。又ステイプルカラーモードに関してもカラージョブとモノクロジョブとが１づつ設定されていていずれも同じ使用頻度であることから、初期値の設定が不能となる。
【００３６】
  このような場合に第１の対応としては、プリンタドライバは、図３のカラーモードと両面モードの設定ボックス３１０a、３１０ｂの表示をスタンダードの初期値に戻す。第２の対応としては、プリンタドライバは、設定ボックス３１０a、３１０ｂを変更することなく現在表示されている設定値をそのまま残しておく。
【００３７】
  第３の対応としては、直前のプリントジョブに用いた設定値を初期値と仮定して表示する。セットする。従ってこの第３の対応では、図８の履歴テーブル６００に蓄積される情報を参照して、カラーモード、両面モード及び画面数モードは、履歴テーブル６００の１０行目の設定値が初期値と仮定される。
【００３８】
  第４の対応としては、同じキー項目の一番新しいプリントジョブの設定値を初期値と仮定して表示する。従ってこの第４の対応では、一番新しいステイプル有りのジョブである図８の履歴テーブル６００の９行目のカラーモード、両面モード及び画面数モードが初期値と仮定される。
【００３９】
  本実施例にて、履歴情報の蓄積数が、図４の履歴情報数ボックス４６０で設定した１０個に達したら、１１番目のジョブの設定値グループは、履歴テーブル６００の一番古い記録の設定値グループに上書きして保存する。従って、履歴テーブル６００の１行目が１１番目のジョブに上書きされる。同様に、１２番目のジョブの画像設定値は、履歴テーブル６００の２行目に上書きする。
【００４０】
  本実施例によれば、
コピーあるいはプリントジョブを実施する度に履歴テーブル６００にジョブ内容を蓄積し履歴情報を更新しながら、履歴テーブル６００を参照して、キー項目を設定する事により、２次項目の初期値を自動的に設定できる
　
（１−ｅ）「【実施例５】
【００４８】
  次に本発明の実施例５について図１０を用いて説明する。この実施例５は、例えば実施例２乃至実施例４においてユーザが（オプションタブＧＵＩ４１０，９１０で自動設定モードを選択して）
セットアップタブＧＵＩ３１０から画像設定条件を自動的に設定した後に、ユーザに対して確認を行うものである
図１０に示す様なポップアップウインドウ１０１０
ユーザは、初期値を自動的に設定してなる画像形成条件を了承するか、あるいは必要に応じてユーザが適切と思う設定値に変更する
【００４９】
  実際には図１０に示す様な確認文書がプリンタや複写機の表示部にてユーザに表示提供される。確認文書は「カラーモード＝モノクロジョブに基づく、２次項目の好ましい設定：両面モード＝片面、画面数モード＝無し、ステイプルモード＝無し、ホールパンチモード＝無し；この設定で実行するか？；Ｙｅｓ、Ｎｏ」等である。ユーザがＹｅｓを選択すると、この設定が現行の設定として置き換わり、Ｎｏを選択するとこの設定は実行されない。
【００５０】
  本実施例によれば、キー項目を設定する事により自動で２次項目の初期値を設定した場合に、ユーザは設定結果をコピー機やプリンタの表示部等で確認でき、且つその了承、あるいは変更を行える。従って自動設定による設定値の不適合による無駄なプリントを防止出来る。
【００５１】
  尚本発明は上記実施例に限られるものではなく、本発明の範囲内で種々変更可能であり、例えば画像形成条件設定時に用いられるキー項目やキー項目に伴い自動設定される２次項目の数や設定内容あるいは設定値等、全く限定されない。又プリンタドライバで設定した画像形成条件を用いるプリント装置は、プリンタドライバと一体的に形成されるものあるいはネットワーク接続されるものである等任意である。」
　
（１−ｆ）図４として、
「
 
　　　　　　　　　　　　　　　　　　　　　　　　　　　」
　
（１−ｇ）図８として、
「
 
　　　　　　　　　　　　　　　　　　　　　　　　　　　」
　
（１−ｈ）図１０として、
「
 
　　　　　　　　　　　　　　　　　　　　　　　　　　　」
　
　上記摘記事項（１−ｅ）及び（１−ｈ）において、「画像設定条件を自動的に設定した後に、ユーザに対して確認を行う」構成（ポップアップウインドウ１０１０）及び「ユーザは、初期値を自動的に設定してなる画像形成条件を了承するか、あるいは必要に応じてユーザが適切と思う設定値に変更する」構成は、それぞれ、「ユーザに対して確認を行うため、設定値（初期値）を表示する表示手段」及び「初期値又はユーザが変更した設定値を基に実行画像形成条件を設定する」構成といえる。
　
　したがって、上記の事項をまとめると、刊行物１には、次の発明（以下「刊行物１発明」という。）が開示されていると認められる。
　
「プリンタドライバを備えたプリント装置であって、
　ユーザから入力されるキー項目のキー設定値及び２次項目の２次設定値をセットにしてなる設定値グループを順次蓄積して履歴情報を作成する履歴情報作成手段と、
　前記履歴情報から、前記キー設定値と共に使用される頻度が最多である前記２次設定値の最多設定値を認識する最多設定値認識手段と、
　前記ユーザによる前記キー設定値の選択により、前記キー設定値及び前記最多設定値を初期値とする初期値設定手段と、
　ユーザに対して確認を行うため、前記初期値を表示する表示手段と、
　前記初期値又はユーザが変更した設定値を基に実行画像形成条件を設定する実行画像形成条件設定手段と、
  前記実行画像形成条件を前記履歴情報に蓄積して前記履歴情報を更新する更新手段とを具備する、
プリンタドライバを備えたプリント装置。」　
　　
（２）対比
　本願補正発明と刊行物１発明とを対比する。
　
ア　本願補正発明において、「画像形成装置」は、「プリンタドライバ」と同様のソフトウェアを備えることは明らかであるから、刊行物１発明の「プリンタドライバを備えたプリント装置」は、本願補正発明の「画像形成装置」に相当する。
　
イ　刊行物１発明の「ユーザから入力されるキー項目のキー設定値」及び「２次項目の２次設定値」は、それぞれ、本願補正発明の「ユーザから新規ジョブに関する設定項目の設定値」及び「他の設定項目の設定値」に相当し、
　刊行物１発明の「ユーザから入力されるキー項目のキー設定値及び２次項目の２次設定値をセットにしてなる設定値グループを順次蓄積して履歴情報を作成する履歴情報作成手段」及び「前記実行画像形成条件を前記履歴情報に蓄積して前記履歴情報を更新する更新手段」は、本願補正発明の「実行済ジョブにおいて実行された複数の設定項目それぞれの設定値をまとめたデータベースを記憶する記憶手段」に相当する。
　
ウ　刊行物１発明は、「ユーザから入力されるキー項目のキー設定値及び２次項目の２次設定値をセットにしてなる設定値グループを順次蓄積して履歴情報を作成する履歴情報作成手段」を有するのであるから、その前提として、「ユーザから入力されるキー項目のキー設定値を受け付ける手段」を備えることは自明の事項である。
　したがって、上記イも踏まえれば、刊行物１発明は、本願補正発明の「ユーザから新規ジョブに関する設定項目の設定値を受け付ける受付手段」と同等の構成を備えている。
　
エ　刊行物１発明の「前記履歴情報から、前記キー設定値と共に使用される頻度が最多である前記２次設定値の最多設定値を認識する最多設定値認識手段」及び「前記ユーザによる前記キー設定値の選択により、前記キー設定値及び前記最多設定値を初期値とする初期値設定手段」は、履歴情報からキー設定値に基づいて検索を行うとともに、頻度に基づいて設定値の候補を選択・設定しているから、本願補正発明の「前記受付手段により受け付けた設定項目の設定値に基づいて、前記データベースを用いて関連する他の設定項目の設定値を検索する検索手段」に相当するとともに、「前記検索手段により検索された関連する他の設定項目の設定値を、前記新規ジョブに関する設定項目の設定値の候補として」選択（初期値設定）する手段といえる。
　
オ　刊行物１発明の「ユーザに対して確認を行うため、前記初期値を表示する表示手段」とは、実質的に、「ユーザに対して確認を行うため、前記初期値を表示させるための表示制御を行う手段」でもあるから、
　刊行物１発明の「ユーザに対して確認を行うため、（前記検索手段により検索された関連する他の設定項目の設定値を、前記新規ジョブに関する設定項目の設定値の候補として選択された）前記初期値を表示する表示手段」と、本願補正発明の「前記検索手段により検索された関連する他の設定項目の設定値を、前記新規ジョブに関する設定項目の設定値の候補として、画面に表示させるものであって、前記検索の結果で検索された関連する他の設定項目の設定値が複数種類存在する場合には、前記複数種類存在する他の設定項目の設定値の候補を、ユーザ指示に基づいて画面に表示させる表示制御手段」とは、
「前記検索手段により検索された関連する他の設定項目の設定値を、前記新規ジョブに関する設定項目の設定値の候補として、画面に表示させる表示制御手段」で共通する。
　
カ　刊行物１発明の「前記初期値又はユーザが変更した設定値を基に実行画像形成条件を設定する実行画像形成条件設定手段」と、本願補正発明の「前記表示制御手段によって画面上に表示される複数の候補の内から一つを選択し、選択された候補の各設定項目に対する設定値を、前記新規ジョブの各設定項目に対する設定値として確定する確定手段」とは、
「選択された候補の各設定項目に対する設定値を、前記新規ジョブの各設定項目に対する設定値として確定する確定手段」で共通する。
　
キ　上記ア〜カから、本願補正発明と刊行物１発明とは、
「　実行済ジョブにおいて実行された複数の設定項目それぞれの設定値をまとめたデータベースを記憶する記憶手段と、
　ユーザから新規ジョブに関する設定項目の設定値を受け付ける受付手段と、
　前記受付手段により受け付けた設定項目の設定値に基づいて、前記データベースを用いて関連する他の設定項目の設定値を検索する検索手段と、
　前記検索手段により検索された関連する他の設定項目の設定値を、前記新規ジョブに関する設定項目の設定値の候補として、画面に表示させる表示制御手段と、
　選択された候補の各設定項目に対する設定値を、前記新規ジョブの各設定項目に対する設定値として確定する確定手段と
を備える画像形成装置。」
の点で一致し、以下の点で相違する。
　
［相違点］：「表示制御手段」及び「確定手段」に関して、
　本願補正発明は、「表示制御手段」が、「前記検索の結果で検索された関連する他の設定項目の設定値が複数種類存在する場合には、前記複数種類存在する他の設定項目の設定値の候補を、ユーザ指示に基づいて画面に表示させる」ものであり、かつ、「確定手段」が、「前記表示制御手段によって画面上に表示される複数の候補の内から一つを選択し、選択された候補の各設定項目に対する設定値を、前記新規ジョブの各設定項目に対する設定値として確定する」のに対し、
　刊行物１発明には、「表示制御手段」が、「前記検索の結果で検索された関連する他の設定項目の設定値が複数種類存在する場合には、前記複数種類存在する他の設定項目の設定値の候補を、ユーザ指示に基づいて画面に表示させる」との特定がなく、また、「確定手段」が「複数の候補の内から一つを選択」するとの特定がないものの、選択された１つの「設定値の候補」に加えて「ユーザが変更した設定値」を基に確定できるものである点。
　　
　　
（３）判断
（３−１）相違点について
　上記相違点について検討する。
　
ア　まず、画像形成装置において、ユーザの利便性を向上させるために、印刷設定の履歴情報から複数の候補を表示し、その中からユーザが選択できるようにすることは、従来周知の技術である（例．前置報告書に提示された特開２００１−２４３０３１号公報（「【０００４】本発明は、上記課題を解決するためになされたもので、
印刷装置に対する印刷設定を履歴情報として格納し、表示することにより、その履歴情報から所望の印刷設定を再利用可能とする
表示手段Ａに一覧表示された複数の画像形成モードのうち、タッチ位置検知手段Ｂによって検知されるタッチ位置の画像形成モードを記憶手段Ｅから選択的に呼び出してモード設定手段Ｃに設定させる
操作性の低下に対処するために
使用頻度が低いものは特別に指定しない限り表示しないような工夫が採用されている
例えば、「推奨設定」と称して有用と思われる設定を予め１つまたは複数用意しておき、印刷時にユーザに選択させる方法
　 
イ　刊行物１には、「例えばステイプルモードをキー項目として、その設定値をステイプルありとした場合に、両面モードを参照すると、両面−ブックと、両面−タブレットとが１づつ設定される。又ステイプルカラーモードに関してもカラージョブとモノクロジョブとが１づつ設定されていていずれも同じ使用頻度であることから、初期値の設定が不能となる。」（上記摘記事項（１−ｄ）【００３５】参照。）との記載もあるとおり、検索の結果が一つに限定されず、「検索の結果で検索された関連する他の設定項目の設定値が複数種類存在する」こと、すなわち、「複数の設定値の候補が存在する」ことは当業者にとって当然というべき事項である。
　
ウ　上記ア及びイから、刊行物１発明において、ユーザの利便性を向上させるために、「表示制御手段」が、「前記検索の結果で検索された関連する他の設定項目の設定値が複数種類存在する場合には、前記複数種類存在する他の設定項目の設定値の候補を、ユーザ指示に基づいて画面に表示させる」構成を採用するとともに、「確定手段」が、「ユーザが変更した設定値を基に確定できる」構成に代えて、「前記表示制御手段によって画面上に表示される複数の候補の内から一つを選択し、選択された候補の各設定項目に対する設定値を、前記新規ジョブの各設定項目に対する設定値として確定する」構成を採用することは、上記アの周知技術に基づいて当業者が容易になし得たことである。
　
（３−２）本願補正発明が奏する効果について
　上記相違点によって、本願補正発明が奏する効果は、刊行物１に記載された事項及び周知技術から予測し得る程度のものであって、格別のものではない。
　
（４）まとめ
　以上のように、本願補正発明は、当業者が刊行物１に記載された発明及び周知技術に基づいて容易に発明をすることができたものであり、特許法第２９条第２項の規定により、特許出願の際独立して特許を受けることができない。
　
３．補正却下の決定についてのむすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３．本願発明について
１．本願発明
　平成２１年２月４日付けの手続補正は上記のとおり却下されたので、本願の請求項１〜１８に係る発明は、平成２０年６月２７日付けの手続補正によって補正された特許請求の範囲の請求項１〜１８に記載された事項により特定されるものであり、特に、請求項１に係る発明（以下「本願発明」という。）は、次のとおりである。
　
「　実行済ジョブにおいて実行された複数の設定項目それぞれの設定値をまとめたデータベースを記憶する記憶手段と、
　ユーザから新規ジョブに関する設定項目の設定値を受け付ける受付手段と、
　前記受付手段により受け付けた設定項目の設定値に基づいて、前記データベースを用いて関連する他の設定項目の設定値を検索する検索手段と、
　前記検索手段により検索された関連する他の設定項目の設定値を、前記新規ジョブに関する設定項目の設定値の候補として、画面に表示させるものであって、前記検索の結果で検索された関連する他の設定項目の設定値が複数種類存在する場合には、ユーザ指示に基づいて、未表示の他の設定項目の設定値の種類を候補として画面に表示させる表示制御手段と、
を備えることを特徴とする画像形成装置。」
　
２．引用刊行物
　これに対して、原査定の拒絶の理由に引用された引用された刊行物１、及び、その記載事項は、前記第２．２．（１−ａ）〜（１−ｈ）で示したとおりである。
　
３．対比・判断
　本願発明は、上記第２．２．で検討した本願補正発明から、「表示制御手段」に関して、「前記複数種類存在する他の設定項目の設定値の候補を、ユーザ指示に基づいて画面に表示させる」を「ユーザ指示に基づいて、未表示の他の設定項目の設定値の種類を候補として画面に表示させる」に戻すとともに、「前記表示制御手段によって画面上に表示される複数の候補の内から一つを選択し、選択された候補の各設定項目に対する設定値を、前記新規ジョブの各設定項目に対する設定値として確定する確定手段」を削除したものである。
　
　そうすると、本願発明の特定事項を全て含み、さらに他の特定事項を付加したものに相当する本願補正発明が、上記第２．２．に記載したとおり、刊行物１に記載された発明及び周知技術に基づいて当業者が容易に発明をすることができたものであるから、本願発明も、同様の理由により、当業者が刊行物１に記載された発明及び周知技術に基づいて容易に発明をすることができたものである。
　
４．むすび
　以上のとおり、本願の請求項１に係る発明は、当業者が刊行物１に記載された発明及び周知技術に基づいて容易に発明をすることができたものであるから、特許法第２９条第２項の規定により特許を受けることができない。
　したがって、その他の請求項に係る発明について検討するまでもなく、本願は拒絶すべきものである。
　
　よって、結論のとおり審決する。